(57)【特許請求の範囲】
【請求項１】
所定の条件を満たすユーザの情報を登録する登録手段と、
登録された前記ユーザに対して、複数の店舗において、少なくとも一部の空間を所定時間だけ利用する空間利用権と、来店者に関する情報を取得する情報取得権とを含む組合せ、当該空間利用権を含むが当該情報取得権を含まない組合せ、又は当該情報取得権を含むが当該空間利用権を含まない組合せのうち、前記ユーザにより指定された組合せに含まれる権利を付与する権利付与手段と、
を備える情報処理システム。
【請求項２】
前記空間利用権が付与された前記ユーザに対して、前記複数の店舗のうち利用予定の店舗、利用時間、及び利用する空間の範囲の指定により、空間利用の予約を受け付ける予約受付手段
をさらに備える請求項１に記載の情報処理システム。
【請求項３】
前記空間利用の予約、及び当該空間利用の実績を含む前記ユーザの利用状況を、当該ユーザに提示する提示手段
をさらに備える請求項２に記載の情報処理システム。
【請求項４】
前記提示手段は、さらに、前記来店者の利用状況を、前記情報取得権が付与された前記ユーザに提示する、
請求項３に記載の情報処理システム。
【請求項５】
前記権利付与手段は、Ｎ（Ｎは２以上の整数値）の店舗のうち、前記ユーザにより指定されたＫ（ＫはＮ以下の整数値）の店舗毎に、前記空間利用権と前記情報取得権とを含む組合せ、前記空間利用権を含むが前記情報取得権を含まない組合せ、又は前記情報取得権を含むが前記空間利用権を含まない組合せのうち、前記ユーザにより指定された組合せに含まれる権利を付与する、
請求項１乃至３のうち何れか１項に記載の情報処理システム。
【請求項６】
コンピュータに
所定の条件を満たすユーザの情報を登録する登録ステップと、
登録された前記ユーザに対して、複数の店舗において、少なくとも一部の空間を所定時間だけ利用する空間利用権と、来店者に関する情報を取得する情報取得権とを含む組合せ、当該空間利用権を含むが当該情報取得権を含まない組合せ、又は当該情報取得権を含むが当該空間利用権を含まない組合せのうち、前記ユーザにより指定された組合せに含まれる権利を付与する権利付与ステップと、
を含む制御処理を実行させるプログラム。
【発明の詳細な説明】
【技術分野】
【０００１】
本発明は、情報処理システム及びプログラムに関する。
【背景技術】
【０００２】
従来より、企業において、人材の採用は、重要な企業活動の一つである。中でも、大学生を対象とした採用活動は、企業の人材採用の中でも非常に重要な位置づけにある。
この点、大学生は、インターネットを利用して、就職を希望する企業の情報を入手する。また、企業も求める人材の情報を得るため、大学生の履歴書から就職を希望する大学生の情報を入手する。
このように、企業の人材採用において、学生と企業が積極的に情報交換を行うことで、より効果的な人材採用を実現することができる。ここで、例えば、インターネットを利用して学生と企業のマッチングを支援する技術が提案されている（例えば、特許文献１）。
【先行技術文献】
【特許文献】
【０００３】
【特許文献１】特開２００７−１０２５９４号公報
【発明の概要】
【発明が解決しようとする課題】
【０００４】
しかしながら、特許文献１に記載の技術を含む従来技術のみでは、就職情報をデータベース化して、企業が、容易に希望する就職先を検索できるようにしたにすぎない。
つまり、学生の側からすれば、自身が志望する企業の関係者と従来ないような新しいマッチングの機会が与えられるわけではなく、単にマッチングの機会を容易に検索することができるに過ぎない。
また、企業の側からすれば、必ずしも自身が希望する学生（例えば、有名大学の学生）とのマッチング機会が保障されるものではない。
つまり、採用等の理由により学生に対するコンタクトや情報を所望する企業に対して、各種利益を提供することが要望されているが、特許文献１を含め従来の技術ではこのような要望に十分に応えられない状況である。【０００５】
本発明は、このような状況を鑑みてなされたものであり、採用等の理由により学生に対するコンタクトや情報を所望する企業に対して、各種利益を提供することを目的とする。
【課題を解決するための手段】
【０００６】
上記目的を達成するため、本発明の一態様の情報処理システムは、
所定の条件を満たす企業の情報を登録する登録手段と、
登録された前記企業に対して、複数の店舗において、少なくとも一部の空間を所定時間だけ利用する空間利用権と、来店者に関する情報を取得する情報取得権とのうち、少なくとも一方の権利を付与する権利付与手段と、
を備える。
【発明の効果】
【０００７】
本発明によれば、採用等の理由により学生に対するコンタクトや情報を所望する企業に対して、各種利益を提供することができる。
【図面の簡単な説明】
【０００８】
【図１】本発明の一実施形態に係る情報処理システムの構成の一例を示す構成図である。
【図２】図１の情報処理システムのうちサーバのハードウェア構成の一例を示すブロック図である。
【図３】図１の情報処理システムのうち企業端末のハードウェア構成の一例を示すブロック図である。
【図４】図１の情報処理システムのうちサーバ及び企業端末の機能的構成例の一例を示す機能ブロック図である。
【図５】図４の機能的構成を有する、サーバ、店舗端末及び企業端末が実行する処理の流れを説明するアローチャートである。
【図６】企業の利用状況の概要を説明する図である。
【図７】各大学の店舗を利用する学生のデータに関する図である。
【図８】各大学の店舗を利用する場合の予約の概要を説明する図である。
【図９】企業の自身の店舗の利用状況の概要を説明する図である。
【図１０】マグカップへの企業ロゴの掲載サービスの一例を示す図である。
【発明を実施するための形態】
【０００９】
まず、本発明の実施形態を説明するに先立ち、本発明の一実施形態に係る情報処理システムの適用対象となるサービス（以下、「本サービス」と呼ぶ）について簡単に説明する。
本サービスの提供者は、例えば、所定の大学構内やその近隣にあるカフェ等の店舗（以下、「店舗」と略記する）を運営する。この店舗の顧客は、当該所定の大学等に属する学生である。
ただし、店舗の運営費用は、顧客たる学生から徴収するのではなく、採用等の理由により学生に対するコンタクトや情報を所望する企業（以下、「企業」と略記する）から徴収する。
即ち、本サービスの提供者は、企業からスポンサーを募り、このスポンサーから徴収した金銭等を用いて店舗を運営する。
これにより、店舗は、当該店舗の顧客として来店する学生に対して、各種サービス（飲食提供や場所の提供等）を無料等で提供する。
一方、企業は、店舗に来店した学生の情報を取得したり、当該店舗において学生と接する等の各種利益を得ることができる。
【００１０】
換言すると、企業は、このような利益を得ることができるからこそ、店舗のスポンサーとして、金銭等を支払うのである。
そこで、本サービスで利用される情報処理システム、換言すると本発明が適用される情報処理システムは、スポンサーたる企業に対して、店舗に来店した学生の情報を取得したり、当該店舗において学生と接する等の各種利益を得ることができるように、各種処理を実行する。
【００１１】
以下、このような本サービスで利用される情報処理システム、即ち、本発明の第１実施形態に係る情報処理システムについて、図面を用いて説明する。
図１は、本発明の一実施形態に係る情報処理システムの構成の一例を示す構成図である。
【００１２】
本発明の第１実施形態に係る情報処理システムは、図１に示すように、サーバ１と、Ｌ個（Ｌは、１以上の任意の整数値）の店舗端末２−１乃至２−Ｌと、Ｋ個（Ｋは、１以上の任意の整数値）の学生端末３−１乃至３−Ｋと、Ｍ個（Ｍは、１以上の任意の整数値）の企業端末４−１乃至４−Ｍとが、夫々インターネット等のネットワークＮに接続されて構成される。
【００１３】
サーバ１は、本サービスの提供者により管理される。
店舗端末２−１乃至２−Ｌの夫々は、各種大学の構内や近隣に設置される店舗に設置される端末である。なお、以下、店舗端末２−１乃至２−Ｌの夫々を個々に区別する必要がない場合、これらをまとめて「店舗端末２」と呼ぶ。ここで、店舗は、１つの大学に対して１つである必要は特にない。また、店舗に設置される店舗端末２の個数も任意である。ただし、説明の便宜上、以下の例では、１つの大学につき１つの店舗が存在し、１つの店舗には、１個の店舗端末２があるものとする。
学生端末３−１乃至３−Ｋの夫々は、学生が操作する端末である。なお、以下、学生端末３−１乃至３−Ｋの夫々を個々に区別する必要がない場合、これらをまとめて「学生端末３」と呼ぶ。ここで、学生が操作する学生端末３は、１個である必要は特にない。ただし、説明の便宜上、以下の例では、１人の学生につき１個の学生端末３が操作されるものとする。
企業端末４−１乃至４−Ｍの夫々は、各企業内に設置される端末である。なお、以下、企業端末４−１乃至４−Ｍの夫々を個々に区別する必要がない場合、これらをまとめて「企業端末４」と呼ぶ。ここで、企業に配置される企業端末４は、１個である必要は特にない。ただし、説明の便宜上、以下の例では、１の企業につき１個の企業端末４が配置されるものとする。また、各企業は、Ｌ個の店舗のうち、任意の個数の任意の組合せの店舗に対するスポンサーとなることができるが、説明の便宜上、以下の例では、Ｌ個の店舗の全てに対するスポンサーとなっているものとする。
【００１４】
図２は、図１の情報処理システムのうちサーバ１のハードウェア構成の一例を示すブロック図である。
サーバ１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、出力部１６と、入力部１７と、記憶部１８と、通信部１９と、ドライブ２０とを備えている。
【００１５】
ＣＰＵ１１は、ＲＯＭ１２に記録されているプログラム、又は、記憶部１８からＲＡＭ１３にロードされたプログラムに従って各種の処理を実行する。
ＲＡＭ１３には、ＣＰＵ１１が各種の処理を実行する上において必要な情報等も適宜記憶される。
【００１６】
ＣＰＵ１１、ＲＯＭ１２及びＲＡＭ１３は、バス１４を介して相互に接続されている。このバス１４にはまた、入出力インターフェース１５も接続されている。入出力インターフェース１５には、出力部１６、入力部１７、記憶部１８、通信部１９及びドライブ２０が接続されている。
【００１７】
出力部１６は、液晶ディスプレイやスピーカ等の各種ハードウェアで構成され、各種情報を出力する。
入力部１７は、キーボードやマウス等各種ハードウェアで構成され、各種情報を入力する。
記憶部１８は、ハードディスクやＤＲＡＭ（Ｄｙｎａｍｉｃ  Ｒａｎｄｏｍ  Ａｃｃｅｓｓ  Ｍｅｍｏｒｙ）等で構成され、各種情報を記憶する。
通信部１９は、インターネットを含むネットワークＮを介して他の装置（例えば、図１の例で言えば、学生端末２等）との間で行う通信を制御する。
【００１８】
ドライブ２０は、必要に応じて設けられる。ドライブ２０には磁気ディスク、光ディスク、光磁気ディスク、或いは半導体メモリ等よりなり、リムーバブルメディア２１が適宜装着される。ドライブ２０によってリムーバブルメディア３１から読み出されたプログラムは、必要に応じて記憶部１８にインストールされる。また、リムーバブルメディア２１は、記憶部１８に記憶されている各種情報も、記憶部１８と同様に記憶することができる。
【００１９】
図３は、図１の情報処理システムのうち企業端末４のハードウェア構成の一例を示すブロック図である。
企業端末４は、スマートフォン等の各種デバイスにより、適宜、構成されるものである。
なお、企業端末４の内部のハードウェア構成は、タッチパネルを有する点を除き、サーバ１の構成と基本的に同様とすることができるので、ここでは、サーバ１の構成と異なる点のみ説明する。
【００２０】
表示部７７は、各種液晶ディスプレイ等で構成され、例えば、図６において後述するが企業の利用状況に関する各種画像等を表示する。
タッチ操作入力部７６は、例えば表示部７７に積層される静電容量式又は抵抗膜式（感圧式）の位置入力センサにより構成され、タッチ操作がなされた位置の座標を検出する。
このように、タッチ操作入力部７６と表示部７７により、タッチパネルが構成されている。
【００２１】
図４は、図１の情報処理システムのうちサーバ１及び企業端末４の機能的構成例の一例を示す機能ブロック図である。
【００２２】
図４に示すように、企業端末４のＣＰＵ７１においては、企業情報取得部１３１と、企業情報送信制御部１３２と、要求受付部１３３と、送信制御部１３４と、情報取得部１３５と、表示制御部１３６と、が機能する。
また、サーバ１のＣＰＵ１１においては、企業情報取得部１０１と、企業情報管理部１０２と、権利付与部１０３と、管理部１０４と、が機能する。
さらに、サーバ１の記憶部１８の一領域には、企業情報ＤＢ２００と、利用状況ＤＢ２１０と、来店情報ＤＢ２２０と、が設けられる。
【００２３】
企業端末４の企業情報取得部１３１は、所定の条件を満たす企業の情報を取得する。
即ち、企業情報取得部１３１は、例えば、所定の条件を満たす企業の企業名、従業員数、売上等の各種情報（以下、「企業情報」と呼ぶ）を取得する。なお、企業情報には、例えば企業が提供を希望するサービス等の情報も含まれる。
【００２４】
企業情報送信制御部１３２は、企業情報取得部１３１で取得された企業情報を、サーバ１へと送信する制御を実行する。
なお、このようにしてサーバ１へと送信された企業情報は、サーバ１において取得されて管理される。
【００２５】
要求受付部１３３は、タッチ操作入力部７６を介して、企業（その従業員等）からの各種要求を受け付ける。ここで、要求受付部１３３には、利用状況要求受付部１５１と、予約受付部１５２と、来店情報要求受付部１５３と、が設けられている。
また、送信制御部１３４は、各種要求に関する各種情報をサーバ１へ送信するための制御を実行する。ここで、送信制御部１３４には、利用状況要求情報送信制御部１６１と、予約情報送信制御部１６２と、来店情報要求送信制御部１６３と、が設けられている。
利用状況要求受付部１５１は、タッチ操作入力部７６を介して、企業からの利用状況の要求を受け付ける。
ここで、利用状況とは、空間利用の予約、及び当該空間利用の実績を含む情報である。
より具体的には、利用状況とは、各店舗の利用状況を示す情報であり、例えば、各店舗の会議室等の利用履歴である。ここで言う、利用状況とは、各店舗の過去の利用状況のみならず、将来的な利用予定を含んでもよい。
また、「空間利用」における「空間」とは、店舗の許諾により利用可能な空間をいい、必ずしも店内の空間でなくともよく、テラスや庭等の外部の空間も含む。この空間のうち少なくとも一部の利用が、「空間利用」である。例えば、店舗全体の貸切による利用、店舗の一部の領域（個室等）での利用、店舗内に配置されるテーブル単位や席単位の利用等は全て、「空間利用」に該当する。
そして、利用状況要求情報送信制御部１６１は、利用状況要求受付部１５１で受け付けられた利用状況要求を利用状況要求情報として、サーバ１へと送信するための制御を実行する。
このようにして、サーバ１へと送信された利用状況要求情報は、サーバ１で取得されて、結果として、企業に対して所定の利用状況が提示される。企業は、このようにして提示された利用状況を確認しつつ、本サービスの提供を受けるための予約を行うことができる。ここでいう予約には、所望の単位での店舗の「空間利用」の予約が含まれる。
【００２６】
予約受付部１５２は、タッチ操作入力部７６を介して、企業からの予約を受け付ける。
そして、予約情報送信制御部１６２は、予約受付部１５２で受け付けられた企業からの予約を、予約情報として、サーバ１へと送信する制御を実行する。
【００２７】
来店情報要求受付部１５３は、タッチ操作入力部７６を介して、企業からの来店情報の要求を受け付ける。ここで、来店情報とは、来店者（例えば学生）の利用状況に関する情報である。
そして、来店情報要求送信制御部１６３は、来店情報要求受付部１５３で受け付けられた来店情報要求をサーバ１へと送信する制御を実行する。
【００２８】
なお、このようにしてサーバ１へと送信された利用状況情報、予約情報及び来店情報要求は、サーバ1で取得される。そして、サーバ１は、夫々の要求に応じた各種情報を企業端末４へと送信する。
情報取得部１３５は、このようにして送信されてきた利用状況情報、来店情報及び予約情報等の各種情報を取得する。
そして、表示制御部１３６は、情報取得部１３５で取得された各種情報を、表示部７７に表示する制御を実行する。
【００２９】
以上、企業端末４の機能的構成について説明した。次に、サーバ１の機能的構成について説明する。
【００３０】
サーバ１の企業情報取得部１０１は、企業端末４から送信されてきた企業情報を、通信部１９を介して取得する。
【００３１】
企業情報管理部１０２は、所定の条件を満たす企業（例えばスポンサー企業）の企業情報を登録する。
即ち、企業情報管理部１０２は、企業情報取得部１０１で取得された企業情報を企業情報ＤＢ２００に格納する。さらに、企業情報管理部１０２は、企業情報取得部１０１で取得された企業情報を登録する。企業情報が登録された企業を、以下、「正規の企業」と呼ぶ。
【００３２】
権利付与部１０３は、正規の企業に対して、複数の店舗において、少なくとも一部の空間を所定時間だけ利用する空間利用権と、来店者に関する情報を取得する情報取得権とのうち、少なくとも一方の権利を付与する。
即ち、権利付与部１０３は、正規の企業に対して、複数の店舗において、当該複数の店舗の空間利用権（例えば会議室を利用する権利）と、来店者の情報を取得する権利（例えば当該複数の店舗に来店した学生の来店情報を取得する権利）とのうち、少なくとも一方の権利を付与する。
ここで、権利付与部１０３には、組み合わせ決定部１１１が設けられる。
組み合わせ決定部１１１は、Ｎ（Ｎは２以上の整数値）の店舗のうち、企業により指定されたＫ（ＫはＮ以下の整数値）の店舗毎に、空間利用権と情報取得権とのうち少なくとも一方の権利であって企業により個別に指定された夫々の権利を付与する。
即ち、組み合わせ決定部１１１は、各店舗に企業の希望に応じて、本サービスの提供者が提供することができる各種サービスを自由に組み合わせて、プランや金額を設定することができる。
【００３３】
管理部１０４は、各種情報を管理する。管理部１０４には、利用状況管理部１２１と、来店情報管理部１２２と、予約管理部１２３と、が設けられる。
利用状況管理部１２１は、企業端末４から送信されてきた利用状況要求情報を取得する。さらに、利用状況管理部１２１は、取得した利用状況要求情報に基づいて、適宜、利用状況ＤＢ２１０から、利用状況情報を取得して、その情報を企業端末４へと送信する制御を実行する。
【００３４】
来店情報管理部１２２は、企業端末４から送信されてきた来店情報要求を取得する。さらに、来店情報管理部１２２は、取得した来店情報要求に基づいて、来店情報ＤＢ２２０から、適宜、来店情報を取得して、その情報を企業端末４へと送信する制御を実行する。
【００３５】
予約管理部１２３は、企業端末４から送信されてきた予約情報を取得する、さらに、予約管理部１２３は、取得した予約情報に基づいて、利用状況ＤＢ２１０を更新する。
【００３６】
図５は、図４の機能的構成を有する、サーバ、店舗端末及び企業端末が実行する処理の流れを説明するアローチャートである。
【００３７】
ステップＳ１において、企業端末４の企業情報取得部１３１は、タッチ操作入力部７６を介して入力された企業情報を取得する。
【００３８】
ステップＳ２において、企業情報送信制御部１３２は、ステップＳ１で取得された企業情報を、企業情報として、サーバ１へと送信する。
【００３９】
ステップＳ２１において、サーバ１の企業情報取得部１０１は、企業端末４から送信されてきた企業情報を、通信部１９を介して取得する。
【００４０】
ステップＳ２２において、企業情報管理部１０２は、ステップＳ２１で取得された企業情報を企業情報ＤＢ２００に格納する。これにより、当該企業情報で特定される企業は、正規の企業となる。つまり、企業情報管理部１０２は、ステップＳ２１で取得された企業情報を、正規の企業の企業情報として管理する。
【００４１】
ステップＳ２３において、権利付与部１０３は、正規の企業に対して、複数の店舗において、当該複数の店舗の空間利用権と、来店者の情報を取得する権利とのうち、少なくとも一方の権利を付与する。
なお、上述したように、正規の企業は、空間利用権と、来店者の情報を取得する権利との夫々について、付与の要否を各店舗毎に設定することができる。ステップＳ２３においては、この設定に基づいて、各店舗毎に権利が付与される。
なお、当然ながら、正規の企業は、全店舗に対して、一律に同一権利が付与されるという設定をしてもよい。
【００４２】
ステップＳ３において、企業端末４の利用状況要求受付部１５１は、タッチ操作入力部７６を介して、企業からの利用状況の要求を受け付ける。
ステップＳ４において、利用状況要求情報送信制御部１６１は、ステップＳ４で受け付けられた利用状況要求を利用状況要求情報として、サーバ１へと送信するための制御を実行する。
【００４３】
ステップＳ２４において、サーバ１の利用状況管理部１２１は、企業端末４から送信されてきた利用状況要求情報を取得する。
ステップＳ２５において、サーバ１の利用状況管理部１２１は、利用状況ＤＢ２１０から対象の店舗の利用状況を取得する。
ステップＳ２６において、利用状況管理部１２１は、ステップＳ２４で取得した利用状況要求情報に基づいて、適宜、利用状況ＤＢ２１０から、利用状況情報を取得して、その情報を企業端末４へと送信する。
【００４４】
なお、ステップＳ３及びＳ４、並びにステップＳ２４乃至Ｓ２６の処理は、ステップＳ２３の処理で、来店者の情報を取得する権利が付与された店舗に対して実行される。
【００４５】
ステップＳ５において、企業端末４の予約受付部１５２は、タッチ操作入力部７６を介して、企業からの予約を受け付ける。
【００４６】
ステップＳ６において、予約情報送信制御部１６２は、ステップＳ５で受け付けられた企業からの予約を、予約情報として、サーバ１へと送信する。
【００４７】
ステップＳ２７において、予約管理部１２３は、企業端末４から送信されてきた予約情報を取得する、さらに、ステップＳ２８において、予約管理部１２３は、取得した予約情報に基づいて、利用状況ＤＢ２１０を更新する。
ステップＳ２９において、予約管理部１２３は、予約が完了した旨の情報を企業端末４へと送信する。
【００４８】
なお、ステップＳ５及びＳ６、並びにステップＳ２７乃至Ｓ２９の処理は、ステップＳ２３の処理で、空間利用権が付与された店舗に対して実行される。
【００４９】
ステップＳ７において、来店情報要求受付部１５３は、タッチ操作入力部７６を介して、企業からの来店情報の要求を受け付ける。
【００５０】
ステップＳ８において、来店情報要求送信制御部１６３は、ステップＳ７で受け付けられた来店情報要求をサーバ１へと送信する。
【００５１】
ステップＳ３０において、来店情報管理部１２２は、企業端末４から送信されてきた来店情報要求を取得する。さらに、ステップＳ３１において、来店情報管理部１２２は、取得した来店情報要求に基づいて、来店情報ＤＢ２２０から、適宜、来店情報を取得する。
ステップＳ３２において、来店情報管理部１２２は、来店情報を企業端末４へと送信する。
【００５２】
なお、ステップＳ７及びＳ８、並びにステップＳ３０乃至Ｓ３２の処理は、ステップＳ２３の処理で、来店者の情報を取得する権利が付与された店舗に対して実行される。
【００５３】
続いて、図６以降の図面を用いて、図１の情報処理システムの利用例について説明していく。図６は、企業の利用状況の概要を説明する図である。
【００５４】
図６の例では、「企業のログイン画面」、「契約内容」、「スポンサー内容」等の内容を示す画像の一例が表示されている。
具体的には、画像５００Ａは、企業のログイン画面を示す画像である。このように、企業は、自身の企業ＩＤとパスワードを入力することで、自身のマイページ等にログインして、本サービスを利用することができる。
画像５００Ｂは、上述のマイページ等に表示される画像の一例であり、例えば、企業へのお知らせ及び契約内容を示す画像である。つまり、企業は、自身のマイページを確認することで、本サービスの提供者からのお知らせを確認したり、自身の契約している契約内容について確認することができる。
ここで、契約内容とは、具体的には例えば、契約している店舗（大学等）、契約している期間、契約している金額等、本サービスに関する契約の内容を意味する。
画像５００Ｃは、上述のマイページ等に表示される画像の一例であり、例えば、スポンサー内容を示す画像である。つまり、企業は、自身のマイページを確認することで、自身のスポンサー内容を確認することができる。
ここで、スポンサー内容とは、例えば、「席利用」、「交流会利用」、「貸切利用」、「広告換算」等の店舗の具体的な利用状況等を意味する。
また、画像５００Ｃの例では、「交流会利用」、「貸切利用」、「広告換算」とリーチレベルを店舗毎に表記することで、企業の利用状況を見える化を実現することができる。なお、広告換算は、例えば、夫々の店舗への総来店数×１０％で計算することができる。
【００５５】
これにより、企業は、店舗毎に自由な組み合わせで、プラン設定や金額設定が可能となる。
【００５６】
さらに、図７を用いて、上述のマイページ等に表示される画像の一例について説明していく。図７は、各大学の店舗を利用する学生のデータに関する図である。
【００５７】
図７の例では、来店データ、来店学生数、来店学生内訳の内容を示す画像の一例が表示されている。
画像５１０Ａは、来店データの一例を示す図である。つまり、企業は、マイページ等に表示された来店データを確認することで、夫々の店舗毎の月毎の来店者数等を確認することができる。
画像５１０Ｂは、来店学生数及び来店学生内訳の一例を示す図である。つまり、企業は、マイページ等に表示された来店学生を確認することで、全ての店舗の来店者数の総数やユニーク学生（来店者）の総数を確認することができる。
ここで、ユニーク学生（来店者）とは、任意の条件（例えば、英語が堪能な来店者）を満たす来店者を意味する。なお、任意の条件は、本サービスの提供者又は企業が、自由に設定することができる。
さらに企業は、マイページ等に表示された来店学生内訳を確認することで、上述の来店者数の内訳、具体的には、「学年」、「学部」、「大学」、「男女比」等を確認することができる。
【００５８】
続いて、図８を用いて、本サービスの予約について説明していく。図８は、各大学の店舗を利用する場合の予約の概要を説明する図である。
【００５９】
図８の例では、「カフェの利用予約画面」、「席予約」、「交流会予約の画面」、「貸切予約の画面」等の内容を示す画像の一例が表示されている。
画像５２０Ａは、上述のマイページ等に表示される画像の一例であり、例えば、企業が本サービスの予約画面の一例を示す。企業は、他社に予約されている時間以外の時間帯において、後述する「席」、「交流会」、「貸切」等の本サービスに関する各種予約内容で、サービスの予約を行うことができる。
なお、本サービスの提供者は、所定の企業以外の他の企業の予約内容については、匿名で表示することとしてもよい。
【００６０】
図９は、企業の自身の店舗の利用状況の概要を説明する図である。
図９の例では、「店舗利用予約」、「レポート作成」等の内容を示す画像の一例が表示されている。
画像５３０Ａは、上述のマイページに表示される画像の一例であり、例えば、各店舗の予約状況の詳細の一例を示す。つまり、企業は、マイページ等に表示された店舗利用予約を確認することで、予約した情報（図８等を参照）が予約状況として閲覧することができる。また、本サービスの提供者は、例えば、同一の企業（企業）において、どの部署が予約を行ったか等をマイページに表示させるようにしてもよい。
画像５３０Ｂは、上述のマイページに表示される画像の一例であり、例えば、企業の利用状況のレポートのダウンロード画面である。つまり企業は、このような画面を通じて、利用状況についてのレポートのダウンロードを指示することで、上述の図６乃至８等で説明した利用状況等の内容をダウンロードすることができる。
以上をまとめると、企業は、契約期間中の学生の利用データと企業の利用状況を電子データ等（例えばＰＤＦファイル）として抽出することができる。また、企業は、この電子データをミーティング等で使用することもできる。
【００６１】
以上本発明の一実施形態について説明したが、本発明は、上述の実施形態に限定されるものではなく、本発明の目的を達成できる範囲での変形、改良等は本発明に含まれるものである。
【００６２】
ここで、上述の実施形態では、特に言及していないが、本発明の情報処理システムは、様々な機能を追加することができる。そこで、以下、図１０を参照しつつ、本発明の情報処理システムに追加可能な各種機能について説明していく。
【００６３】
図１０は、マグカップへの企業ロゴの掲載サービスの一例を示す図である。
画像６１０Ａは、イートインを選択した学生の注文画面を示す画像の一例である。ここで、学生によって、画像６１０Ａの「クリック」と表示された部分が選択された場合、画像６１０Ｂの画像が表示される。
即ち、本サービスの提供者は、画像６１０Ｂに示すように、学生に提供されるドリンクに任意の企業（例えば正規の企業）のロゴを表示させることができる。
【００６４】
また例えば、上述の実施形態では、特に言及していないが、例えば、学生が店舗を利用するに際し、特定の登録情報が店舗端末２に表示されてもよい。
即ち、例えば、ハッカーランクが５００点以上の学生がカフェを利用した場合には、その旨を示す特段の表示がなされてもよい。これにより、企業は、特定の学生に対して、ピンポイントで案内（ノベルティや特別インターンシップ招待券等）をすることもできる。
【００６５】
ここで、上述した一連の処理は、ハードウェアにより実行させることもできるし、ソフトウェアにより実行させることもできる。
換言すると、図４の機能的構成は例示に過ぎず、特に限定されない。
即ち、上述した一連の処理を全体として実行できる機能が情報処理システムに備えられていれば足り、この機能を実現するためにどのような機能ブロックを用いるのかは特に図４の例に限定されない。また、機能ブロックの存在場所も、図４に特に限定されず、任意でよい。
また、１つの機能ブロックは、ハードウェア単体で構成してもよいし、ソフトウェア単体で構成してもよいし、それらの組み合わせで構成してもよい。
【００６６】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。
また、コンピュータは、各種のプログラムをインストールすることで、各種の機能を実行することが可能なコンピュータ、例えばサーバの他汎用のスマートフォンやパーソナルコンピュータであってもよい。
【００６７】
このようなプログラムを含む記録媒体は、企業にプログラムを提供するために装置本体とは別に配布される図示せぬリムーバブルメディアにより構成されるだけでなく、装置本体に予め組み込まれた状態で企業に提供される記録媒体等で構成される。
【００６８】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段等より構成される全体的な装置を意味するものとする。
【００６９】
以上を換言すると、本発明が適用される情報処理システムは、次のような構成を有する各種各様の実施形態を取ることができる。
即ち、本発明が適用される情報処理システムは、
所定の条件を満たすユーザ（例えばスポンサー企業）の情報を登録する登録手段（例えば図４の企業情報管理部）と、
登録された前記ユーザに対して、複数の店舗において、少なくとも一部の空間を所定時間だけ利用する空間利用権と、来店者に関する情報を取得する情報取得権とのうち、少なくとも一方の権利を付与する権利付与手段（例えば図４の権利付与部１０３）と、
を備える情報処理システムであれば足りる。
【００７０】
これにより、人材の採用を希望するユーザは、店舗を利用して、就職を希望する学生とマッチングすることが可能となる。そして、本サービスの提供者は、人材の採用を希望するユーザに対して、有益な情報を提供することができる。
【００７１】
さらに、前記空間利用権が付与されたユーザに対して、前記複数の店舗のうち利用予定の店舗、利用時間、及び利用する空間の範囲（例えば、１テーブル、店舗内の一部のスペース、店舗全体（＝貸切）等）の指定により、空間利用の予約を受け付ける予約受付手段（例えば図４の予約管理部１２３）
をさらに備えることができる。
【００７２】
これにより、ユーザが本サービスを利用しやすくなるので、本サービスの提供者は、当該ユーザに対して、より効果的に有益な情報を提供することができる。
【００７３】
さらに、空間利用の予約、及び当該空間利用の実績を含むユーザの利用状況を、当該ユーザに提示する提示手段（例えば図４の利用状況管理部１２１）と、
をさらに備えることができる。
【００７４】
これにより、ユーザは、ユーザの利用状況を確認しつつ本サービスの利用や予約をすることができる。そのため、ユーザは、本サービスをさらに利用しやすくなるので、本サービスの提供者は、ユーザに対して、より効果的に有益な情報を提供することができる。
【００７５】
また、前記提示手段は、さらに、来店者の利用状況を、前記情報取得権が付与されたユーザに提示することができる。
【００７６】
これにより、ユーザは来店者の利用状況を確認しつつ本サービスの利用や予約をすることができる。そのため、ユーザは、本サービスをさらに利用しやすくなるので、本サービスの提供者は、ユーザに対して、より効果的に有益な情報を提供することができる。
【００７７】
さらに、前記権利付与手段は、Ｎ（Ｎは２以上の整数値）の店舗のうち、前記ユーザにより指定されたＫ（ＫはＮ以下の整数値）の店舗毎に、前記空間利用権と前記情報取得権とのうち少なくとも一方の権利であって前記ユーザにより個別に指定された夫々の権利を付与することができる。
【００７８】
これにより、ユーザは、自身の希望に応じて、本サービスの提供者が提供することができる各種サービスを自由に組み合わせて、プランや金額を設定することができる。
【符号の説明】
【００７９】
１・・・サーバ、２・・・店舗端末、３・・・学生端末、４・・・企業端末、１１・・・ＣＰＵ、７１・・・ＣＰＵ、１０１・・・企業情報取得部、１０２・・・企業情報管理部、１０３・・・権利付与部、１０４・・・管理部、１１１・・・組み合わせ決定部、１２１・・・利用状況管理部、１２２・・・来店情報管理部、１２３・・・予約管理部、１３１・・・企業情報取得部、１３２・・・企業情報送信制御部、１３３・・・要求受付部、１３４・・・送信制御部、１３５・・・情報取得部、１３６・・・表示制御部、１５１・・・利用状況要求受付部、１５２・・・予約受付部、１５３・・・来店情報要求受付部、１６１・・・利用状況要求情報送信制御部、１６２・・・予約情報送信制御部、１６３・・・来店情報要求送信制御部、２００・・・企業情報ＤＢ、２１０・・・利用状況ＤＢ、２２０・・・来店情報ＤＢ
【要約】
採用等の理由により学生に対するコンタクトや情報を所望する企業に対して、各種利益を提供すること。
企業情報取得部１３１は企業情報を取得する。企業情報取得部１０１は、企業情報を取得する。企業情報管理部１０２は、企業情報を登録し、正規の企業の企業情報として、管理する。権利付与部１０３は、複数の店舗の空間利用権と、来店者の情報を取得する権利とのうち、少なくとも一方の権利を付与する。利用状況要求受付部１５１は、企業からの利用状況の要求を受け付ける。利用状況管理部１２１は、利用状況要求情報を取得する。企業端末４の予約受付部１５２は、企業からの予約を受け付ける。予約管理部１２３は、予約情報を取得する。来店情報要求受付部１５３は、企業からの来店情報の要求を受け付ける。来店情報管理部１２２は、来店情報要求を取得する。【図１】
0006554251.tif 000002
【図２】
0006554251.tif 000003
【図３】
0006554251.tif 000004
【図４】
0006554251.tif 000005
【図５】
0006554251.tif 000006
【図６】
0006554251.tif 000007
【図７】
0006554251.tif 000008
【図８】
0006554251.tif 000009
【図９】
0006554251.tif 000010
【図１０】
0006554251.tif 000011